(57)【要約】【課題】ユーザが、ユーザの持つ端末のディスプレイにて、どのようなデータでも表示が行なえるようにする。【解決手段】ユーザの持つ端末に対し、データが入力された場合に、その端末でそのデータが表示できない場合に、そのデータをフォーマット変換サーバに送る事り、フォーマットの変換を行なう事により、端末で様々なデータが表示できるような構成とする。【選択図】        図１
2004334674.tif 000002
【特許請求の範囲】
【請求項１】
ディスプレイを持つ端末があった場合に、それらの機器とのデータのやり取りを行う通信手段を持つフォーマット変換サーバを持ち、
前記フォーマット変換サーバは、端末のサポートするデータフォーマットの種類、
端末のサポートする解像度、色数を手動、自動で得る手段と、
端末からデータを受信したら、その端末にあわせて画像のフォーマットを行う手段と、
フォーマットを行うデータが来た端末に対し、フォーマットを行ったデータを送信する手段、を備えた事を特徴とする、フォーマット変換システム。
【請求項２】
請求項１のデータ変換システムにおいて、端末１からデータがフォーマット変換サーバに送られるのではなく、
端末１に送られるデータは一旦全て、前記フォーマット変換サーバに送信する手段と、
フォーマット変換サーバは、送信されてきたデータに対し、端末が表示できるデータは、変換せずに、端末に送る手段と、
フォーマット変換サーバは、送信されてきたデータに対し、端末が表示できないデータに対しては、データを変換し端末に送る手段と、を備えた事を特徴とする。前記記載のフォーマット変換システム。
【請求項３】
請求項２のフォーマット変換システムにおいて、
前記フォーマット変換サーバが、端末が表示出来ないデータを受信した際、
フォーマット変換サーバが、端末に対しデータを変換するか問い合わせを行う手段と、
フォーマット変換サーバが、端末から変換を行うと、返信があった場合には、データを変換し、データを送信する手段と、
フォーマット変換サーバが、端末から変換を行わないと、返信があった場合には、データを変換せずに、データを送信する手段と、を備えた事を特徴とする。前記記載のフォーマット変換システム。
【請求項４】
請求項１〜３記載のフォーマット変換システムにおいて、
端末から、フォーマット変換サーバで変換されたデータの印刷を行う際、
前記フォーマット変換サーバ経由で印刷を行う手段と、
フォーマット変換されたデータを、元に復元する手段と、を備えた事を特徴とする、前記記載のフォーマット変換システム。
【請求項５】
請求項１〜４記載のフォーマット変換システムにおいて、
請求項１〜４記載の、フォーマット変換サーバ機能を印刷装置に持たせる手段と、を備えた事を特徴とする、前記記載のフォーマット変換システム。
【発明の詳細な説明】
【０００１】
【発明の属する技術分野】
本発明は、画像データの変換を行うシステムに関して。
【０００２】
【従来の技術】
最近では、ディスプレイを持つ端末、例えば、携帯端末（携帯電話、ＰＤＡ、他モバイル端末）や、ＦＡＸ、冷蔵庫といった家電製品にディスプレイが付いた物が多くなっている。これから、さらに多くの端末に対しディスプレイが付く傾向にある。
【０００３】
又、最近では多くの端末が、情報のやり取りが可能なネットワークに接続されてきており、端末の外部から入力されたデータを、端末のディスプレイで表示を行うといった事が行われている。
【０００４】
【特許文献１】
特開２００１−１９５３９１号公報
【０００５】
【発明が解決しようとする課題】
しかし、例えば端末の外部から画像データが来た際に、それらの携帯端末や、家電製品などのディスプレイはある一定のフォーマットの画像データしか表示が出来ない事がある。又、ディスプレイのサイズや解像度などにより、例え画像データを表示出来ても、ディスプレイの大きさに対し、表示している画像部が小さい事や大きい事があり見づらくなってしまう事がある。また、端末自体のパフォーマンスが低い場合には、データの解像度が高いと表示に時間がかかってしまったりする。
【０００６】
【課題を解決するための手段】
この請求項１記載の発明によれば、このフォーマット変換システムは、端末が表示を行える、データの情報をフォーマット変換サーバが認識を行う事により、端末に対して端末が処理を行えないデータがきた際に、自動にフォーマット変換サーバにそのデータを送信し、フォーマット変換サーバが端末にあわせたデータのフォーマットに変換を行い、その変換を行ったデータを、端末に返すことにより。端末は、表示を行えなかったデータを表示する事が出来る。
【０００７】
また、端末のユーザが自分で、端末が表示を行えないファイルを選択し、フォーマット変換サーバに送り、フォーマットの変換を行い、自分の端末で表示を行えるデータに変換を行っても良い。
【０００８】
この請求項２記載の発明によれば、このフォーマット変換システムは、端末に送られて来たデータ全てを、フォーマット変換サーバを通過す事により、端末が表示できるデータにして、端末に送る事が出来る。
【０００９】
端末としては、初期にフォーマット変換サーバに対し、端末が表示できるデータの種類の設定を行うだけで、端末のディスプレイに全てのデータを表示する事が出来る。
【００１０】
この請求項３記載の発明によれば、
請求項２記載の発明に対し、端末が表示を行えないデータが来た際に、端末にフォーマットの変換を行うかを端末に対し、問い合わせを行う事で、端末にフォーマット変換を行わないデータを送る事が出来る。
【００１１】
この請求項４記載の発明によれば、
端末から印刷を行う際、フォーマット変換サーバをかいして、印刷装置にデータ送信を行う事で、端末から印刷装置に送られてくるデータに、前にフォーマット変換サーバにて、フォーマット変換を行ったデータがあった場合、そのデータをフォーマットする以前のデータに復元し、印刷を行う事が出来る。これにより、解像度等を落として端末にデータを送っていた際には、そのまま印刷を行うと、不鮮明になっていた所が、解像度を上げる事により、鮮明な絵が印刷される事になる。
【００１２】
この請求項５記載の発明によれば、
請求項１〜４記載のフォーマット変換サーバを印刷装置に持たせる事により、請求項４記載の発明に対し、フォーマット変換サーバと印刷装置のデータが容易にやり取りが出来る為、ネットワークに負荷をかけずに、フォーマット変換と印刷を行う事が出来る。
【００１３】
【発明の実施の形態】
以下、図を参照しつつ本発明に係わるフォーマット変換システムの実施形態の詳細を説明する。
【００１４】
本件、第１の実施の構成について説明する。
【００１５】
図１は、本件第１の実施の形態に係わるフォーマット変換システム全体の概略構成を記載したブロック図である。
【００１６】
本実施の形態に係わるフォーマット変換システムは、１．端末、２．フォーマット変換サーバ、３．ＰＣ等、４．ネットワーク、５．専用線などからなる。
【００１７】
端末１は、ネットワーク、または赤外線、Ｂｌｕｅｔｏｏｔｈ、ＵＳＢ等で、端末以外の機器との通信機能を持っている。ディスプレイを持つ電子機器である。
【００１８】
フォーマット変換サーバ２は、端末１のサポートするデータフォーマットの種類、サポートする解像度、色数を手動、自動で得る。端末１からネットワーク経由、専用線経由でデータを受信したら、その端末１がサポートする画像のフォーマットにデータを変換し、端末１に対しフォーマットを行ったデータを、ネットワーク経由、専用線経由で送信する。
【００１９】
ＰＣ等３は、端末にデータ送信を行う物である。例としては、パーソナルコンピュータ、携帯電話、ＰＤＦ等であり。その端末でアプリケーションが動作させられる物である。
【００２０】
プリントセンタ４の詳細は後に述べる。
【００２１】
専用線５は、端末１とフォーマット変換サーバ２、端末１とＰＣ等を接続する物で、赤外線、Ｂｌｕｅｔｏｏｔｈ、ＵＳＢ等で端末１とＰＣ等を接続するものである。
【００２２】
フォーマット変換サーバ２は、通信ユニット１１、ＣＰＵ１２、ＲＡＭ１３、ＲＯＭ１４、記憶媒体１５、データベース１６などから構成されている。
【００２３】
通信ユニット１１は、ネットワーク４や、専用線５に接続される外部Ｉ／Ｆである。
【００２４】
情報処理装置１７は、内部にＣＰＵ１２、ＲＡＭ１３、ＲＯＭ１４、記憶媒体１７等から構成されており、これらの装置はバス１８を介し相互に接続されている。
【００２５】
ＣＰＵ１２は、記憶装置はＲＯＭ１４や、記憶媒体１５に記憶されているプログラム及び、当該システムプログラムに対応する各種アプリケーションプログラムの中から指定されたアプリケーションプログラムを実行し、通信ユニット１１からのデータの処理を行う。
【００２６】
ＲＡＭ１３は、ＣＰＵ１２により演算処理されるプログラムや通信ユニット１１からの出力データなどを一時的に記憶する、記憶領域からなり、記憶された各種プログラムやデータなどの読み出しも行われる。また、記憶された各種プログラムコードに従い、データベース１６から検索抽出したデータ等が一時的に記憶される。
【００２７】
ＲＯＭ１４、記憶媒体１５には、プログラムやデータ等が記憶される。この記憶媒体１５には、システムプログラム及び当該システムプログラムに対する各種アプリケーションプログラム、通信処理、入力処理、データ処理等のプログラムを有する。
【００２８】
また、記憶媒体１５は、処理されたデータ等を記憶する。
【００２９】
なお、この記憶媒体１５に記録するプログラム、データ等は、通信回線を介して接続された他の機器から受信して記憶する構成にしても良い。
【００３０】
また、通信回線等を介して接続されたほかの機器に上記記憶媒体を備えた記憶装置を設け、その記憶媒体に記憶されているプログラム、データ通信回線を使用する構成にしてもよい。
【００３１】
データベース１６は、フォーマット変換センタ２が、データのフォーマットを行う端末１の情報や、フォーマットする以前のデータと、そのデータを送受信した端末の情報を、記録しておく。
【００３２】
次に、端末１がサポートするデータのフォーマットの種類、サポートする解像度、色数を、フォーマット変換サーバに登録を行う方法を述べる。
【００３３】
登録は、端末１とフォーマット変換サーバ２がネットワーク４や、専用線５経由で始めて通信した際に、自動的にフォーマット変換サーバ２に端末１の表示できるデータの情報を送信する、アプリケーションプログラムを端末１やフォーマット変換サーバ２に入れても良い。
【００３４】
次に、フォーマット変換の仕組みについて説明を行う。
【００３５】
図３にそのフローチャートを示す。
【００３６】
フォーマット変換サーバ２に対し、端末１よりデータが入ってくる（ステップＤ１）。
【００３７】
そのデータがどの端末１から来た物なのか判断を行う（ステップＤ２）。
【００３８】
判断方法としては、そのデータが来た端末のネットワークが割り振られているアドレスによって判断を行ったり、端末１に入れるアプリケーションプログラムにその端末１独自に識別を行えるキーを入れておいても良い。
【００３９】
次に、端末１の判断を行えたら、その端末が表示を行える形式に変換を行う（ステップＤ３）。
【００４０】
そして、変換したデータを端末１に対し送信する（ステップＤ４）。
【００４１】
これにより、端末１は表示できるデータを得る事が出来る。
【００４２】
本件、第２の実施の構成について説明する。
【００４３】
第２の実施の構成では、図１と同じ構成か、図４のような構成をとる。
【００４４】
端末１に対してデータが来た際に、図１の構成では端末１に対しデータが送られて来た際に、一旦フォーマット変換サーバ２に送り、フォーマット変換が必要なデータに対しては、フォーマット変換を行い端末１に送り、フォーマット変換が不必要なデータに対しては、なにもせずに、端末１に送る構成にする。また、図１の構成で端末１に来たデータを端末１が受信する前に、フォーマット変換サーバ２が受信出来るのであれば、端末１に来たデータを、フォーマット変換サーバ２で受信し、フォーマット変換が必要なデータは、フォーマット変換し端末１に送信を行い。不必要なデータは何もせずに端末１に送信を行う。
【００４５】
図４の構成では、端末１に送られるデータは、全てフォーマット変換サーバを通し送られる物とする。端末１に対し、フォーマット変換が必要なデータが来た際には、フォーマット変換し端末１に送信を行い。不必要なデータは何もせずに端末１に送信を行う事とする。
【００４６】
フォーマット変換サーバ２への端末１の登録等は、第１の実施系と同じとする。
【００４７】
本件、第３の実施の構成について説明する。
【００４８】
図５に第３の実施のフローチャートを示す。
【００４９】
端末１に対しデータが入力された際に、端末１は端末１そのデータが表示出来るかどうか確認を行う。（ステップＥ１）表示可能な場合はそのまま表示を行う。表示が出来ない場合には、その表示出来ないデータに対し、フォーマット変換サーバ２にデータを送信し、フォーマット変換を行うか選択を行う（ステップＥ２）。
【００５０】
変換を行うと選択した場合は、そのデータをフォーマット変換サーバ２にデータを送信する（ステップＥ３）。そして、フォーマット変換を行ったデータの受信を行う（ステップＥ４）。
【００５１】
以上により、端末１が変換を行うデータを選択する事が出来る。
【００５２】
本件、第４の実施の構成について説明する。
【００５３】
図６に第４実施の構成の図を示す。６の印刷装置は、ネットワーク４に接続されたデータを紙データとして印刷を行う、印刷装置である。構成としては、通信ユニット１１、ＣＰＵ１２、ＲＡＭ１３、ＲＯＭ１４、記憶媒体１５、データベース１６、情報処理装置１７、バス１８と持った物で、構成はフォーマット変換サーバに似ている。
【００５４】
第４の実施の構成では、１〜３の実施の構成で、フォーマット変換サーバ２がデータの変換を行う際に、そのデータに対し、ヘッダのような形でそのデータが判別できるキーを入れておく。
【００５５】
また、フォーマットを変換する際に、そのデータが可逆のデータならば、判別できるキーのみを変換したデータに入れておけば良い。また、そのデータが不可逆のデータならば、変換する前のデータを、フォーマット変換サーバ２に保管しておくようにする。また、キーと変換を行ったデータの元データの情報を、フォーマット変換サーバ２に保管しておく。
【００５６】
その後、端末１がそのフォーマット変換を行ったデータを印刷装置６にて印刷を行いたい時に、端末１から一度フォーマット変換サーバ２に送り、それから印刷装置６に送る構成とする。
【００５７】
フォーマット変換サーバ２は、端末１から来たデータに、フォーマットを行ったキーが入っていれば、データを変換する前のデータにし、印刷装置６に送る。
【００５８】
以上により、端末１から印刷を行う際に、フォーマット変換前のデータの印刷を行う事が出来る。
【００５９】
本件、第５の実施の構成について説明する。
【００６０】
フォーマット変換サーバ２のシステムを、印刷装置６に持たせる。事とする。構成は、印刷装置６が持っている構成と似ている為、簡単に構成できる。
【００６１】
以上により、印刷装置６にフォーマット変換サーバ２のシステムを、持たせる事が出来る。
【００６２】
【発明の効果】
請求項１〜５記載の発明によれば、このフォーマット変換システムにより、端末１が表示出来ないデータを表示出来る。また、フォーマットの変換を行ったデータを端末より印刷する際。フォーマット変換サーバをかいして、印刷装置に送る事により、データを復元し、印刷装置に送信する事が出来た。
【図面の簡単な説明】
【図１】本実施形態１に係わる、フォーマット変換システムの全体の構成を示した図である。
【図２】本実施形態のフォーマット変換サーバの、構成を示した図である。
【図３】本実施形態１の、フォーマットの方法を示した図である。
【図４】本実施形態２の、フォーマット変換システムの構成を示した図である。
【図５】本実施形態３の、データ選択方法を示した図である。
【図６】本実施形態４の、フォーマット変換システムの全体の構成を示した図である。
【符号の説明】
１  端末
２  フォーマット変換サーバ
３  ＰＣ等
４  ネットワーク
５  専用線
６  印刷装置
１１  通信ユニット
１２  ＣＰＵ
１３  ＲＡＭ
１４  ＲＯＭ
１５  記憶媒体
１６  データベース
１７  情報処理装置
１８  バス
【図１】
2004334674.tif 000003
【図２】
2004334674.tif 000004
【図３】
2004334674.tif 000005
【図４】
2004334674.tif 000006
【図５】
2004334674.tif 000007
【図６】
2004334674.tif 000008